(57)【要約】      （修正有）【課題】ヒドロゲル被覆材を提供する。【解決手段】凹部１１１を有する収容層１１と、液体を凹部１１１に充填しゲル化成形するヒドロゲル層１２と、収容層１１を覆い、ヒドロゲル層１２と互いに接続する手提げ層１３と、手提げ層１３がヒドロゲル層１２と接続する面の反対面を覆うフィルム層１４と、フィルム層１４が手提げ層１３と接続する面の反対面を覆い、かつ収容層１１の縁部に接着することによって、ヒドロゲル層１２と、手提げ層１３と、フィルム層１４をその内部に封止する保護層１５と、を備える。生産工程において、まず保護層１５を設けた後に滅菌処理し、保護層１５によって、内部を完全に密閉しているため、封入袋に入れて包装する必要はない、さらに、保護層１５によって、内部の各層を完全に固定しており、搬送過程の衝撃によって、層の分離は起きない。【選択図】図１
0003205328.tif 000002
【実用新案登録請求の範囲】
【請求項１】
ヒドロゲル被覆材であって、
凹部を有する収容層と、
液体を前記凹部に充填し、紫外線を照射してゲル化成形するヒドロゲル層と、
収容層を覆って、かつ前記ヒドロゲル層と互いに接続する手提げ層と、
前記手提げ層の前記ヒドロゲル層と接続する面の反対面を覆って、前記手提げ層の剛性を向上させるフィルム層と、
前記フィルム層の前記手提げ層と接続する面の反対面を覆って、前記収容層の縁部に接着することによって、前記ヒドロゲル層と、前記手提げ層と、前記フィルム層をその内部に封入して、外部のバイ菌侵入を防ぐ保護層と、を備えることを特徴とする、
ヒドロゲル被覆材。
【請求項２】
前記ヒドロゲル層と前記手提げ層との間に位置し、前記ヒドロゲル層のゲル化成形を助ける補助層を更に含むことを特徴とする、請求項１記載のヒドロゲル被覆材。
【請求項３】
前記手提げ層の短手側の長さから前記ヒドロゲル層の短手側の長さを差し引くとＸｃｍに等しく、式６＜Ｘ≦１０（数式１）を満足し、前記フィルム層の短手側の長さから前記ヒドロゲル層の短手側の長さを差し引くとＹｃｍに等しく、式６＜Ｙ≦１０（数式２）を満足し、かつ、Ｙ≦Ｘ（数式３）を満足し、前記収容層の短手側の長さから前ヒドロゲル層の短手側の長さを差し引くとＺｃｍに等しく、式１０＜Ｚ≦２０（数式４）を満足することを特徴とする、請求項２記載のヒドロゲル被覆材。
【請求項４】
前記収容層が前記手提げ層に接続する側の反対側に位置する強化層であって、前記強化層の縁部と、前記保護層の縁部とを互いに接続し、その短手側の長さが前記収容層の短手側の長さより長く、バイ菌侵入防止の機能を強化できる強化層をさらに含むことを特徴とする、請求項１ないし３記載のヒドロゲル被覆材。
【請求項５】
前記手提げ層の材質は熱可塑性ポリウレタンであることを特徴とする、請求項４記載のヒドロゲル被覆材。
【考案の詳細な説明】
【技術分野】
【０００１】
本考案は医療用創傷被覆材の分野に関し、特にバイ菌の侵入を防げるヒドロゲル被覆材に関する。
【背景技術】
【０００２】
けがの箇所に湿潤環境を維持するのが創傷治療に良いことは周知であり、特にやけど及び慢性創傷がその具体例として挙げられる。さらに、この湿性癒合の理論によれば、けがの箇所に湿潤性を持たない創傷被覆材を使用すると、傷口の癒合は遅くなる。よって、創傷面の癒合を速くするため、医療用のヒドロゲル創傷被覆材が市販されている。ヒドロゲルが傷口の表面に湿潤環境を与えられるほか、傷口と癒着しないため、被覆材を傷口から剥がすときに、裂き傷が出来てしまい、創傷面に二次損傷を負うことを避けられるため、幅広く使用されている。
【考案の概要】
【考案が解決しようとする課題】
【０００３】
ヒドロゲル被覆材は多層構造のため、各層のサイズが不一致または層と層の接着強度が不足する場合、加工工程で外部のバイ菌が侵入し、ヒドロゲル被覆材が持つべき傷口修復機能と感染防止の効果が失われる。
さらに、製造完了後のヒドロゲル被覆材は、被覆材を１枚ごとにそれぞれ開封自在の封入袋に入れて包装し、滅菌処理した後に包装された被覆材はカートンに詰めて出荷される。しかし、封入袋とヒドロゲル被覆材との間に隙間があるため、搬送過程の衝撃により、ヒドロゲル被覆材の層間が分離してしまい、使用者が使用できなくなる。
【０００４】
この点について、考案者は鋭意研究し、係る産業における長年に蓄積された経験をもとに、高効率のヒドロゲル被覆材を考案することで、前述した公知技術の欠点の改善を図るものである。
【課題を解決するための手段】
【０００５】
本考案の一目的は、斬新な多層構造により、開封自在の封入袋に包装する必要がなく、そのままカートンに詰めて出荷できると共に、層間のサイズを調節することができるため、層と層の接着効果をより良くし、もってバイ菌の再度侵入の可能性を防げると同時に、ヒドロゲル被覆材が搬送過程の衝撃により、層間分離することを避けられる、ヒドロゲル被覆材を提供する。
【０００６】
前述目的を達成するための本考案のヒドロゲル被覆材は、凹部を有する収容層と、液体を凹部に充填しゲル化成形するヒドロゲル層と、収容層に覆っていて、ヒドロゲル層と互いに接続し、熱可塑性ポリウレタン（ＴＰＵ）部材を使用するフィルム層と、手提げ層がヒドロゲル層と接続する対向側に覆って、剛性を強化するフィルム層と、フィルム層が手提げ層と接続する対向側に覆っていて、かつ収容層の縁部に接着し、ヒドロゲル層と、手提げ層と、フィルム層をその内部に封止し、外部のバイ菌が侵入されないようにする保護層と、を備える。保護層の設置により、外部のバイ菌がヒドロゲル層に侵入することはできず、よって、被覆材が感染されることを避けることができ、かつ保護層を外装に使用できるため、一つの生産工程にまとめて、生産完了後の包装工程を省けられる。
【０００７】
そのうち、ヒドロゲル層は紫外線照射により、凹部をゲル化成形して、手提げ層に接着し、使用者がヒドロゲル被覆材を使用するときに、ヒドロゲル層を凹部から容易に取り出すことができる。
【０００８】
本考案は、ヒドロゲル層と手提げ層との間に位置し、ヒドロゲル層のゲル化成形に助ける補助層を更に含むことが好ましい。
【０００９】
好ましくは、手提げ層の短手側の長さからヒドロゲル層の短手側の長さを差し引くとＸｃｍに等しく、式６＜Ｘ≦１０（数式１）を満足することが良い。これにより、各層間の接着区域面積を増やすことができ、接着の安定性を強化することができる。
【００１０】
好ましくは、フィルム層の短手側の長さからヒドロゲル層の短手側の長さを差し引くとＹｃｍに等しく、式６＜Ｙ≦１０（数式２）を満足し、かつ、Ｙ≦Ｘ（数式３）を満足する。これにより、各層間の接着区域面積を増やすことができ、接着の安定性を強化することができる。
【００１１】
好ましくは、収容層の短手側の長さからヒドロゲル層の短手側の長さを差し引くとＺｃｍに等しく、式１０＜Ｚ≦２０（数式４）を満足することが良い。これにより、各層間の接着区域面積を増やすことができ、接着の安定性を強化することができる。
【００１２】
本考案は収容層が手提げ層に接続する対向側に位置し、強化層の縁部と、保護層の縁部とが互いに接続していて、その短手側の長さを収容層の短手側の長さより長く設けて、バイ菌侵入防止の機能を達成する強化層を更に含むことが好ましい。
【００１３】
本考案のヒドロゲル被覆材は、生産工程において、まず保護層を設けた後に滅菌処理し、保護層によって、内部を完全に密閉しているため、封入袋に入れて包装する必要はない、さらに、保護層によって、内部の各層を完全に固定しており、搬送過程の衝撃によって、層の分離は起きない。さらに、各層とヒドロゲル層とのサイズ違いを調節することによって、層の接着可能な面積を増加し、もって接着性が向上し、バイ菌が侵入しにくくなる。また、強化層の設置により、軟性の収容層を保護して置き、収容層が尖った物品に切り裂けられて、ヒドロゲル層が外部に露出して、バイ菌が侵入することを避けられる。
【図面の簡単な説明】
【００１４】
【図１】本考案の第１実施例による分解図である。
【図２】本考案の第１実施例による断面図である。
【図３】本考案の第２実施例による断面図である。
【図４】本考案の第３実施例による分解図である。
【考案を実施するための形態】
【００１５】
本考案の内容のさらなる理解を図るため、図を参照しながら以下説明する。
【実施例１】
【００１６】
図１と図２の、本考案の第１実施例による分解図と、断面図とを参照する。
図に示すように、本考案のヒドロゲル被覆材１は、収容層１１と、ヒドロゲル層１２と、手提げ層１３と、フィルム層１４と、保護層１５と、を備える。
【００１７】
収容層１１は凹部１１１を有し、ヒドロゲル層１２は液体を凹部１１１に充填し、ゲル化成形する。手提げ層１３は収容層１１を覆い、ヒドロゲル層１２と互いに接続し、手提げ層１３の部材は例えば熱可塑性ポリウレタン（ＴＰＵ）を使用し、ヒドロゲル被覆材１を患部に貼り付けたときに、通気性を持つとともに撥水効果を有する。ＴＰＵは他の撥水効果を持つ通気部材に変えることもできる。
フィルム層１４は手提げ層１３のヒドロゲル層１２と接続する対向側を覆い、手提げ層１３の剛性を向上させる。さらに、保護層１５はフィルム層１４の手提げ層１３と接続する対向側を覆い、かつ保護層１５を収容層１１の縁部に接着することによって、ヒドロゲル層１２と、手提げ層１３と、フィルム層１４をその内部に封入し、外部のバイ菌侵入を防ぐ。
保護層１５の設置により、バイ菌がヒドロゲル層１２に侵入することができず、被覆材が感染されることを防げる。
【００１８】
使用するときは、使用者がそれぞれ保護層１５と、収容層１１とを抓んで両側に引き裂くことによって、内部からフィルム層１４と、手提げ層１３とその上のヒドロゲル層１２を取り出して、手提げ層１３にヒドロゲル層１２を有する面を患部に貼り付ければ良い。
さらに、ヒドロゲル被覆材１を患部に貼り付けた後は、フィルム層１４を引き続き手提げ層１３に付着させるか、またはフィルム層１４を取り除くこともできる。開ける前の手提げ層１３とその上のヒドロゲル層１２が保護層１５と、収容層１１との間に挟まれているため、バイ菌に感染される恐れはなく、使用者は安心して使用できる。
【００１９】
生産工程において、フィルム層１４の上部を保護層１５で覆った後に、滅菌処理することで、従来のやり方のように、滅菌処理した後に、被覆材を封入袋に封入及び包装してから出荷する不便を避けることができる。さらに、保護層１５をもって内部各層の構造を固定しておくことで、ヒドロゲル被覆材１が搬送のときに層と層がぶつかり合って、移動または滑り移動し、接着性の不足によって分離することはない。
この実施例において、保護層１５が逆方向に折り曲げられて収容層１１縁部の底部に接着されている。これによって、ヒドロゲル被覆材１を完全に保護することができ、バイ菌が縁部の隙間から侵入可能性を防げる。
図２から分かるように、この実施例において、手提げ層１３の短手側の長さからヒドロゲル層の短手側の長さを差し引くとＸｃｍに等しく、式６＜Ｘ≦１０（数式１）を満足する。フィルム層１４の短手側の長さｂからヒドロゲル層１２の短手側の長さｄを差し引くとＹｃｍに等しく、式６＜Ｙ≦１０（数式２）を満足し、かつ、Ｙ≦Ｘ（数式３）を満足する。収容層１１の短手側の長さｃからヒドロゲル層１２の短手側の長さｄを差し引くとＺｃｍに等しく、式１０＜Ｚ≦２０（数式４）を満足する。
この実施例において、フィルム層１４の短手側の長さｂと、手提げ層１３の短手側の長さａが同じ場合を例示している。このようなサイズ設計によって、各層間の接着区域の面積を向上させ、接着の安定性を強化することができると共に、バイ菌が接着の縁部から侵入する可能性を軽減できる。
【実施例２】
【００２０】
引き続き、本考案の第２実施例による断面図を参照する。
図に示すように、第１実施例に比べて、この実施例において、本考案は強化層１６をさらに含み、収容層１１が手提げ層１３に接続する対向側に位置し、強化層１６の縁部と、保護層の縁部とが互いに接続していて、かつ強化層１６の短手側ｅの長さが収容層１１の短手側の長さｃより長く設けて、バイ菌侵入防止の機能を達成する。さらに、強化層１６は例えば硬質部材で仕上げることができると共に、強化層１６の厚みｆを１〜３センチに設定する。これにより、内部の収容層１１を保護し、尖った物品によって切り裂かれ、または高所から落とすことによって、収容層１１が破裂し、内部のヒドロゲル層１２が露出して、バイ菌感染を引き起こすことを避けられる。
強化層１６を増設することによって、保護層１５と互いに挟み合わせて、ヒドロゲル被覆材１内部各層の構造を内部へ完全に封入し、滅菌処理した後は、外部のバイ菌が再び侵入することはできず、無菌環境を形成して、医療用に使用できる。
【実施例３】
【００２１】
引き続き図４の、本考案の第３実施例による分解図を参照する。
図に示すように、第１実施例に比べて、この実施例において、本考案は補助層１７を更に含み、ヒドロゲル層１２と、手提げ層１３の間に取り付けて、ヒドロゲル層１２のゲル化成形を助ける。ヒドロゲル層１２を凹部１１１に充填するときは、補助層１７をヒドロゲル層１２の上に覆い、かつ補助層１７の縁部を収容層１１に接着することによって、ヒドロゲル層１２を凹部１１１に均一に分布させて、紫外線を照射し成形した後、さらに手提げ層１３を補助層１７に接着する。
これによって、ヒドロゲル層１２が平らになり、さらに、補助層１７を設けることによって、ヒドロゲル被覆材１を開封して使用するとき、手提げ層１３によってヒドロゲル層１２を引き上げることができ、より便利に使用できる。
【００２２】
以上の構成により、本考案は確実にヒドロゲル被覆材１の完全性及び防菌性を維持することができると共に、使用に便利であり、軟質の該収容層１１は硬質に比べて、使用者が容易に力を加えて比較的簡単にヒドロゲル被覆材１を開封して、使用することができる。さらに、この構造によって、ヒドロゲル被覆材１は開封されるまで無菌状態のままであり、効果がより良くなる。
【００２３】
以上に説明したものは、本考案の好ましい実施例に過ぎず、本考案の実施範疇に制限を加えるものではない。本考案の精神と範疇を逸脱しない、いかなる等効果変化と修飾も、本考案の実用新案登録請求の範囲に含まれる。
【符号の説明】
【００２４】
１      ヒドロゲル被覆材
１１    収容層
１１１  凹部
１２    ヒドロゲル層
１３    手提げ層
１４    フィルム層
１５    保護層
１６    強化層
１７    補助層
ａ      手提げ層の短手側の長さ
ｂ      フィルム層の短手側の長さ
ｃ      収容層の短手側の長さ
ｄ      ヒドロゲル層の短手側の長さ
ｅ      強化層の短手側の長さ
ｆ      強化層の厚み
【図１】
0003205328.tif 000003
【図２】
0003205328.tif 000004
【図３】
0003205328.tif 000005
【図４】
0003205328.tif 000006